(57)【要約】【課題】コネクタ本体を取付けた後における利便性を向上させることの可能なコネクタを提供する。【解決手段】所定の基板Ａとの電気的接続状態において該基板Ａの実装面上に位置する複数のケーブル１ｂが接続された光コネクタ１を挿入可能に形成されたコネクタ本体１０と、一端側がコネクタ本体１０に挿入された光コネクタ１と着脱自在且つ電気的に接続可能に形成されるとともに、他端側が前記基板Ａと電気的に接続可能に形成された複数の端子２０とを備えた。【選択図】図５
2010055793.tif 000002
【特許請求の範囲】
【請求項１】
所定の基板との電気的接続状態において該基板の実装面上に位置する信号伝送部材が接続された相手側コネクタを挿入可能に形成されたコネクタ本体と、
一端側がコネクタ本体に挿入された相手側コネクタと着脱自在且つ電気的に接続可能に形成されるとともに、他端側が前記基板と電気的に接続可能に形成された複数の端子とを備えた
ことを特徴とするコネクタ。
【請求項２】
前記コネクタ本体に挿入された相手側コネクタの反挿入方向への移動を規制する規制部を設けた
ことを特徴とする請求項１記載のコネクタ。
【発明の詳細な説明】
【技術分野】
【０００１】
本発明は、例えば車載機器やＡＶ機器等に設けられた基板と電気的に接続するために用いられるコネクタに関するものである。
【背景技術】
【０００２】
従来、この種のコネクタとして、光ファイバ等の信号伝送部材を設けたコネクタ本体と、該信号伝送部材と基板とを電気的に接続可能な端子とを備えたものが知られている。
【０００３】
このコネクタは、コネクタ本体を半田付けすることにより基板に取付けられており、コネクタ本体が基板に取り付けられた後には、信号伝送部材が基板実装面上に位置する。
【０００４】
ところで、車載機器やＡＶ機器等の製造工程では多種の検査が行われており、例えばコネクタ本体を基板に取付けた後に基板実装面全体の画像検査が行われる場合がある。
【特許文献１】特開２００４−１５１６３６号公報
【発明の開示】
【発明が解決しようとする課題】
【０００５】
しかしながら、前記従来例では、コネクタ本体が半田付けによって基板に取付けられているので、基板実装面の一部が信号伝送部材によって覆われることになる。従って、コネクタ本体の取付け後には基板実装面全体の画像検査等を行うことが困難になり、利便性に劣るという問題点があった。
【０００６】
本発明は前記問題点に鑑みてなされたものであり、その目的とするところは、コネクタ本体を取付けた後における利便性を向上させることの可能なコネクタを提供することにある。
【課題を解決するための手段】
【０００７】
本発明は、前記目的を達成するために、所定の基板との電気的接続状態において該基板の実装面上に位置する信号伝送部材が接続された相手側コネクタを挿入可能に形成されたコネクタ本体と、一端側がコネクタ本体に挿入された相手側コネクタと着脱自在且つ電気的に接続可能に形成されるとともに、他端側が前記基板と電気的に接続可能に形成された複数の端子とを備えている。
【０００８】
これにより、各端子の一端側が相手側コネクタと着脱自在に形成されていることから、コネクタ本体に挿入された相手側コネクタを取り外すことが可能になる。
【発明の効果】
【０００９】
本発明によれば、コネクタ本体に挿入された相手側コネクタを取り外すことができるので、コネクタ本体を基板に取付けた後でも信号伝送部材によって覆われた基板実装面の一部を露出させることができる。従って、基板実装面の画像検査等を容易に行うことができるので、利便性を向上させることができる。
【発明を実施するための最良の形態】
【００１０】
図１乃至図６は本発明の一実施形態を示すもので、図１はコネクタの斜視図、図２はコネクタの側面図、図３はコネクタのＡ−Ａ断面図、図４は図３の要部拡大図、図５は相手側コネクタ挿入前の状態を示すコネクタの斜視図、図６は相手側コネクタ挿入後の状態を示すコネクタの斜視図である。
【００１１】
このコネクタは、車載機器やＡＶ機器等に設けられた基板Ａに備えられており、コネクタ本体１０と複数の端子２０とから構成されている。また、コネクタは、各端子２０の一端側が相手側コネクタとしての光コネクタ１の複数の端子１ａと着脱自在に接続し、各端子２０の他端側が基板Ａに設けられた複数の導電部（図示省略）にそれぞれ接触することにより、光コネクタ１と基板Ａとを電気的に接続するようになっている。
【００１２】
光コネクタ１には、それぞれ信号伝送部材としての光ファイバを内蔵した２本のケーブル１ｂが接続されており、光コネクタ１は、外部から光ファイバを介して送信された光信号を、電気信号に変換して各端子１ａに送信するようになっている。なお、本実施形態の光コネクタ１は、ＭＯＳＴ（Ｍｅｄｉａ  Ｏｒｉｅｎｔｅｄ  Ｓｙｓｔｅｍｓ  Ｔｒａｎｓｐｏｒｔ）規格に準拠するように構成されている。また、各ケーブル１ｂは、光軸が各ケーブル１ｂの着脱によってずれることを防止するために、光コネクタ１に固定した状態で接続されている。
【００１３】
コネクタ本体１０は上面が開口した合成樹脂の成形品からなり、前面部１１、背面部１２、右側面部１３、左側面部１４及び底面部１５から構成されている。前面部１１及び背面部１２には、前後方向（図中Ｙ軸に沿った方向）に弾性変形可能に形成された弾性片１６がそれぞれ上方（図中Ｚ方向）に延びるように設けられており、弾性片１６の上端には、コネクタ本体１０の開口部側に向かって突出する規制部１６ａが設けられている。また、右側面部１３の上端には、光コネクタ１の各ケーブル１ｂのそれぞれを保持するための２つの保持溝１３ａが間隔をおいて設けられている。
【００１４】
各端子２０は弾性変形可能な導電性の金属板からなり、各端子２０には、図３及び図４に示すように、右側面部１３の下端側においてコネクタ本体１０の幅方向（図中Ｘ軸に沿った方向）に延びる基板接続部２１と、基板接続部２１の一端側から上方に延びる第１の真直部２２と、第１の真直部２２の上端から左側面部１４に向かって突出するように屈曲して上方に延びる第１の接触部２３とが設けられている。また、各端子２０には、左側面部１４の下端側において第１の真直部２２と対向しながら上方に延びる第２の真直部２４と、第２の真直部２４の上端から右側面部１３に向かって突出するように屈曲して上方に延びる第２の接触部２４とが設けられている。
【００１５】
ここで、各接触部２３，２５間には光コネクタ１の各端子１ａを挿入可能に形成された間隙が設けられており、当該間隙の寸法は、光コネクタ１の各端子１ａの幅方向（図中Ｘ軸に沿った方向）の寸法よりも小さく形成されている。この場合、光コネクタ１がコネクタ本体１０に挿入されると、各端子２０の各接触部２３，２５は、光コネクタ１の各端子１ａに接触しながら相互に離間する方向に弾性変形する。また、光コネクタ１がコネクタ本体１０内の所定位置まで挿入されると、各端子２０の各接触部２３，２５は、それぞれの復元力により各端子１ａに圧接する。
【００１６】
さらに、光コネクタ１をコネクタ本体１０の上方に引き出すことにより、各端子２０と光コネクタ１の各端子１ａとの電気的接続を容易に解除することが可能である。
【００１７】
次に、光コネクタ１をコネクタ本体１０に取付ける場合の動作について、図５及び図６を参照して説明する。ここで、各端子２０の基板接続部２１は、基板Ａの導電部（図示省略）に接続されており、基板Ａと電気的に接続可能になっている。まず、光コネクタ１を、基板Ａの実装面に設けられたコネクタ本体１０の上方から開口部に挿入すると、各弾性片１６は、規制部１６ａが光コネクタ１に接触することにより、それぞれコネクタ本体１０の外方向に弾性変形する。
【００１８】
そして、光コネクタ１が所定位置まで挿入されると、各弾性片１６の弾性変形が復元する。このとき、光コネクタ１の上面には各規制部１６ａが係止していることから、光コネクタ１の反挿入方向即ち上方への移動が各規制部１６ａによって規制される。また、各端子２０の各接触部２３，２５は、弾性変形からの復元力により光コネクタ１の各端子１ａに圧接する。これにより、光コネクタ１の各端子１ａと各端子２０との接続信頼性を向上させることができる。
【００１９】
また、光コネクタ１が所定位置まで挿入されたとき、即ち光コネクタ１と基板Ａとが電気的接続状態となったときには、基板Ａの実装面のうち各ケーブル１ｂの下方に位置する部分が、図６に示すように各ケーブル１ｂによって覆われる。この場合、各端子２０の一端側が光コネクタ１と着脱自在に形成されていることから、光コネクタ１をコネクタ本体１０から取り出すことにより当該部分を上方に露出させることができ、コネクタ本体１０を基板Ａに取付けた後でも当該部分を含む基板実装面の画像検査等を容易に行うことができる。
【００２０】
このように、本実施形態のコネクタによれば、コネクタ本体１０に挿入された光コネクタ１を取り外すことができるので、コネクタ本体１０を基板Ａに取付けた後でも光コネクタ１の各ケーブル１ｂによって覆われた基板実装面の一部を露出させることができる。従って、基板実装面の画像検査等を容易に行うことができるので、利便性を向上させることができる。
【００２１】
また、コネクタ本体１０に挿入された光コネクタ１の反挿入方向即ち上方への移動を規制する規制部１６を設けたので、光コネクタ１に位置ずれが生じて各端子２０と光コネクタ１の各端子１ａとが接続不良になることを防ぐことができ、接続信頼性を向上させることができる。
【００２２】
なお、上記実施形態は本発明の具体例に過ぎず、本発明が上記実施形態のみに限定されることはない。例えば、上記実施形態では、光コネクタ１を相手側コネクタとして用いたものを示したが、同軸ケーブル等の部材が接続された電気コネクタを相手側コネクタとして用いることも可能である。
【図面の簡単な説明】
【００２３】
【図１】本発明の一実施形態によるコネクタの斜視図
【図２】コネクタの側面図
【図３】コネクタのＡ−Ａ断面図
【図４】図３の要部拡大図
【図５】相手側コネクタ挿入前の状態を示すコネクタの斜視図
【図６】相手側コネクタ挿入後の状態を示すコネクタの斜視図
【符号の説明】
【００２４】
１…光コネクタ、１ｂ…ケーブル、１０…コネクタ本体、１６ａ…規制部、２０…複数の端子、２６…第１の接触部、２７…第２の接触部、Ａ…基板。
【図１】
2010055793.tif 000003
【図２】
2010055793.tif 000004
【図３】
2010055793.tif 000005
【図４】
2010055793.tif 000006
【図５】
2010055793.tif 000007
【図６】
2010055793.tif 000008